(57)【要約】      （修正有）【課題】製造コストが安価で、かつ実用面で効果的なウエストゴムバンドにポケットが付いたポケット付きパンツを提供する。【解決手段】細幅編織物からなるウエストゴムバンドが縫着されたパンツにおいて、ウエストゴムバンド部２に表地と裏地、および連結糸とからなる二重編織物組織により形成されたポケット４が設けられている。【選択図】図１
0003215192.tif 000002
【実用新案登録請求の範囲】
【請求項１】
細幅編織物からなるウエストゴムバンドが縫着されたパンツにおいて、ウエストゴムバンド部に二重編織物組織により形成されたポケットが設けられていることを特徴とするポケット付きパンツ。
【請求項２】
前記二重編織組織の表地と裏地が細幅編織物の長手方向において連結糸で一体的に編織されている所定長さの中に、パンツ本体の生地側となる側端部以外の表地と裏地が別々に編成され、パンツ上部側を開口部とするポケットが設けられていることを特徴とする請求項１記載のポケット付きパンツ。
【請求項３】
前記二重編織組織の表地と裏地が細幅編織物の長手方向において一体的に編織されている所定長さの中に、両側端部以外の表地と裏地が別々に編織され、パンツ上部側となる端部近傍に開口部を有したポケットが設けられていることを特徴とする請求項１記載のポケット付きパンツ。
【請求項４】
前記細幅編織物がダブルラッセル経編地であることを特徴とする請求項１〜３いずれか１項記載のポケット付きパンツ。
【請求項５】
前記細幅編織物が織物であることを特徴とする請求項１〜３いずれか１項記載のポケット付きパンツ。
【請求項６】
前記ウエストゴムバンドのパンツ生地側となる側端部は、表地と裏地がＹ字状に分かれた構造をなし、Ｙ字状の表地と裏地の間にパンツ生地が挟まれた状態で縫製されていることを特徴とする請求項１〜５いずれか１項記載のポケット付きパンツ。
【請求項７】
前記ウエストゴムバンドの長さ方向に弾性糸が配列されていることを特徴とする請求項１〜６いずれか１項記載のポケット付きパンツ。
【請求項８】
前記ウエストゴムバンドに配列された弾性糸が鎖編みで編成されていることを特徴とする請求項１〜４および６、7のいずれか１項記載のポケット付きパンツ。
【考案の詳細な説明】
【技術分野】
【０００１】
本考案は、ウエストゴムバンドにポケットが設けられたパンツに関するものである。
【背景技術】
【０００２】
ランニングパンツなどには汗拭きや小銭などを収納する目的でサイドポケットやヒップポケットの形で縫い付けられたパンツがあるが、パンツ本体の縫製作業は比較的に簡単であるのに対して、ポケットの縫い付けは細かい作業であることから時間を要し、縫製コストを大幅にアップさせる要因となっている。
【０００３】
また、着用者にとっては運動中にポケットから収納物が飛び出たり、出し入れ時に一緒に収納した他の物が飛び出したりする懸念があることから小銭などはポケットに収納し辛かった。
【０００４】
その様な状況下において、例えば特許文献１では、パンツ本体とは別にパンツのウエスト部に着脱可能なポケットを設けることが提案されており、パンツ自体のコストが安価で済み、色々な物を収納できる実用性は備えているが、運動中にぶらぶら揺れたりすることや、外観的に見劣りする問題を抱えていた。
【先行技術文献】
【特許文献】
【０００５】
【特許文献１】特開平１１−２８６８１６号公報
【考案の概要】
【考案が解決しようとする課題】
【０００６】
本考案は、上述した従来の問題点を鑑み、製造コストが安価で、かつ実用面で効果的なウエストゴムバンドにポケットが付いたパンツを提供することにある。
【課題を解決するための手段】
【０００７】
本考案者が上記技術的課題を解決するために採用した手段を、添付図面を参照して説明すれば、次のとおりである。
【０００８】
即ち、本考案のポケット付きパンツは、細幅編織物からなるウエストゴムバンドが縫着されたパンツにおいて、ウエストゴムバンド部に二重編織物組織により形成されたポケットを設けることで完成させた。
【０００９】
また、本考案は、前記二重編織組織の表地と裏地が細幅編織物の長手方向において連結糸で一体的に編織されている所定長さの中に、パンツの生地側となる側端部以外の表地と裏地が別々に編織され、パンツ上部側を開口部とするポケットが設けられているという技術的手段を採用することができる。
【００１０】
更にまた、前記二重編織組織の表地と裏地が細幅編織物の長手方向において一体的に編織されている所定長さの中に、両側端部以外の表地と裏地が別々に編織され、パンツ上部側となる端部近傍に開口部を有したポケットが設けられているという技術的手段を採用することができる。
【００１１】
更にまた、前記細幅編織物が表地と裏地、および連結糸からなるダブルラッセル経編地であるという技術的手段を採用することができる。
【００１２】
更にまた、前記細幅編織物が経糸と緯糸からなる織物であるという技術的手段を採用することができる。
【００１３】
更にまた、前記ウエストゴムバンドのパンツ生地側となる側端部は、表地と裏地がＹ字状に分かれた構造をなし、Ｙ字状の表地と裏地の間にパンツ生地が挟まれ形で縫製されているという技術的手段を採用することができる。
【００１４】
更にまた、前記ウエストゴムバンドの長さ方向に弾性糸が配列されているという技術的手段を採用することができる。
【００１５】
更にまた、  ダブルラッセル経編地における前記ウエストゴムバンドの弾性糸が鎖編みで編成されているという技術的手段を採用することができる。
【考案の効果】
【００１６】
本考案にあっては、細幅編織物からなるウエストゴムバンドが縫着されたパンツにおいて、ウエストゴムバンド部に二重編織物組織により形成されたポケットが設けられているので、パンツ縫製作業時にポケットを縫着する作業を行う必要がなく、縫製時間が短時間で済み、安価な製造コストで提供することが出来る。
【００１７】
また、ウエストゴムバンド自体の製造は、一旦製造条件を設定しておけば従来のウエストゴムバンドの生産性と変わらずに生産することが出来、コストアップとなることは無い。
【００１８】
ウエストゴムバンド部にポケットを設けることで、例えば小銭などを入れておいてもウエストゴムバンドの締め付け力より、激しい動きを行っても飛び出すようなことがない。
【００１９】
また、ポケットがウエスト部に編織物組織で形成されているので、縫い目がなくて肌触りに悪影響を及ぼさないし、見た目も害さない特徴がある。
【００２０】
ウエストゴムバンドのパンツ生地側となる側端部は、表地と裏地がＹ字状に分かれた構造とし、Ｙ字状の表地と裏地の間にパンツ生地を挟んで縫製することにより、縫製作業が容易に、かつ精度良く行え、さらに得られたパンツ自体も縫製部の解れが確実に防げることや、縫い合わせ部がすっきりとして見栄えの良いパンツが提供できる。
【００２１】
ウエストゴムバンドに弾性糸を長さ方向に配列させることで伸縮回復性が優れ、またウエストゴムバンドをダブルラッセル経編地糸からなる場合において、弾性糸を鎖編みとすることで縫製時に所定長さで切断した際や、長期使用による弾性糸のスリップイン現象が防げる効果がある。
【図面の簡単な説明】
【００２２】
【図１】本考案の実施形態のポケット付きパンツの正面図である。
【図２】本考案の実施形態の別のポケット付きパンツの正面図である。
【図３】本考案の実施形態のポケット付きパンツのウエストゴムバンドの正面図である。
【図４】本考案の別の実施形態のポケット付きパンツのウエストゴムバンドの正面図である。
【図５】本考案の実施形態のポケット付きパンツのウエストゴムバンド部のダブルラッセル経編組織図である。
【図６】本考案の別の実施形態のポケット付きパンツのウエストゴムバンド部のダブルラッセル経編組織図である。
【考案を実施するための形態】
【００２３】
本考案を実施するための形態を、具体的に図示した図面に基づいて、更に詳細に説明すると、次のとおりである。
【００２４】
本考案の実施形態を図１から図６に基づいて説明する。図１は本考案のポケット付きパンツの正面図で、符号１はポケット付きパンツであって、パンツ本体３の上部には伸縮性を有したウエストゴムバンド２が縫着されている。
【００２５】
パンツ本体３は図１で示すような半パンだけでなく、図２にし示すような長いパンツであっても良く、またパンツ本体３の生地は特に限定されず、天然繊維糸や合成繊維糸などを用いた織物や経編あるいは丸編生地などを採用することが出来る。
【００２６】
ウエストゴムバンド２は伸縮性を有した細幅の編織物からなり、その編織物の長さ方向がパンツ１の胴回り方向と一致し、パンツ１の腰裏、または腹部側で繋ぎが形成された状態で、パンツ本体３に縫着されている。
【００２７】
図３は連続的に製造されたウエストゴムバンド２の正面図で、二重編織組織からなり、図中の符号Ｂの部分はウエストゴムバンド２の長さ方向において表地と裏地が連結糸により一体的に編織された領域であり、符号Ｃの部分は表地と裏地が別々に、そしてウエストゴムバンド２の下側の符号Ａの部分は全長に亘って表地と裏地が連結糸により一体的に編織されてウエストゴムバンド２にポケット４が設けられている。
【００２８】
ポケット４を設けるピッチ（Ｌ１）はパンツ１のサイズにより決まるものであるが、最大サイズに統一して縫製時にパンツ１のサイズに合わせてカットしても良く、通常は締め付け具合も鑑みて８０ｃｍ程度が好ましい長さであり、ウエストゴムバンド２の幅は広い方が深いポケット４とすることが出来るが、余りに広くすると胴回りへの締め付けが強くなる問題があるので、好ましい範囲としてはツ５〜１０ｃｍであり、またポケット４のサイズとしては幅（Ｌ２）が５〜１０ｃｍ、深さ（Ｗ２）が４〜９ｃｍであることが好ましいものである。
【００２９】
ポケット４の形成において、図３に示した符号Ａの部分を無くして表地と裏地を別々に編織することで両側端が開口した状態とし、パンツ本体３側はパンツ本体３にウエストゴムバンド２を縫着することで閉じられるので、パンツ１の上部側を入口５としたポケット４を設けることが出来る。
【００３０】
更にまた、図４に示すようにウエストゴムバンド２の編織において、ポケット４形成部の両側端（符号Ａの部分）を連結糸で一体化し、その他の部分（符号Ｅ）は表地と裏地が別々に編織されて、ウエストゴムバンド２のパンツ上部側となる端部の近傍に開口部を設けてポケット４の入口５とすることが出来、そうすることでポケット４の上部側が蓋として作用し、ポケット４内の収納物の飛び出しを一層防げる効果がある。
【００３１】
ウエストゴムバンド２を構成する繊維糸としては、通常衣料に用いられている普通糸をメインとし、締め付け力を得るためにウエストゴムバンド２の長さ方向に弾性糸が配列されており、前記普通糸としては天然繊維糸や合成繊維糸、あるいはそれらの混紡糸などを用いることが出来、特に伸縮性や耐久性を考慮すると、ポリエステル繊維、あるいはポリアミド繊維に捲縮加工した加工糸であることが好ましく、そして弾性糸としてはポリウレタン系、ポリエステル系、あるいは天然ゴム系の弾性糸、あるいはそれらの弾性糸を芯にしたカバーリング糸等のように複合化された弾性糸を配列させること出来る。
【００３２】
弾性糸の配列密度としては、着用時の締め付け具合を考慮してポリウレタン弾性糸の場合、ポリウレタンの繊度（ｄｔｅｘ）と配列密度（本／ｃｍ）の積が８００〜２０００の値となる配列密度であることが好ましい。
【００３３】
また、ウエストゴムバンド２のパンツ本体３側となる側端部において、表地と裏地がＹ字状に分かれた構造とすることが出来、そのＹ字状の表地と裏地の間にパンツ本体３の生地挟んで縫製することによって縫製作業が非常に簡単に行え、見栄え良く仕上げることが出来るので好ましい態様であり、Ｙ字状とする長さとしては、縫製の作業性から４〜１０ｍｍ程度であることが好ましい。
【００３４】
ウエストゴムバンド２にポケット４を設けるための製造方法としては、ダブルラッセル経編による表地と裏地からなる二重組織において、連結糸により表地と裏地が所定長さ一体化させた中において一部分を表地と裏地がそれぞれ単独で編成されたところをポケット４とすることが出来、織物においても同様の原理で得ることが出来る。
【００３５】
ウエストゴムバンド２に弾性糸をダブルラッセル経編で配列させる際、弾性糸を１針挿入させても構わないが、鎖編組織にすることによりウエストゴムバンド２をカットした際、あるいは繰り返し伸長による弾性糸のスリップイン現象を防ぐとこが出来ることから好ましい態様である。
【００３６】
また、前述のスリップイン現象対策として、熱融着性のポリウレタン糸を用いて、製編織後に融点近くの温度で熱処理を施すことも出来る。  
『実施例』
【００３７】
次に、本実施形態のポケット付きパンツの実施例について説明する。
〔実施例１〕
２４ゲージのダブルラッセル経編機を用い、表１に示す各筬別の糸使い、および図５に示すウエストゴムバンド２の各部（Ａ，Ｂ，Ｃ）別の組織、および図３に示すＬ１＝８０ｃｍ、Ｌ２＝８ｃｍ、Ｗ１＝５．５ｃｍ、Ｗ２＝４ｃｍの寸法となる条件でウエストゴムバンド２を編成し、同ウエストゴムバンド２とトリコット経編地を用いて図１に示す形状のスポーツ用ポケット付きパンツ１を縫製した。
【００３８】
得られたポケット付きパンツ１を着用し、ポケット４に小銭を入れてジョギングをしたが、ウエストゴムバンド２による締め付けによって小銭が動くこともなく、また気にすることなくジョギングに集中出来る効果を確認した。
【００３９】
【表１】
0003215192.tif 000003
【００４０】
〔実施例２〕
２４ゲージのダブルラッセル経編機を用い、表２に示す各筬別の糸使い、および図６に示すウエストゴムバンド２の各部（Ａ，Ｄ，Ｅ）別の組織、また図４に示すＬ１＝８０ｃｍ、Ｌ２＝８ｃｍ、Ｗ１＝５．５ｃｍ、Ｗ２＝４ｃｍ、Ｗ３＝３ｃｍの寸法となる条件でウエストゴムバンド２を編成し、実施例１と同様に図１に示す形状のスポーツ用ポケット付きパンツ１を縫製した。なお、筬Ｇ１の糸はポケット４入口部の補強用として追加したものである。
【００４１】
得られたポケット付きパンツ１を実施例１と同様に実用試験を行った結果、実施例１と同様にポケットへの収納物がポケットから飛び出すような問題もなく安定していることが確認できた。
【００４２】
【表２】
0003215192.tif 000004
【００４３】
以上、代表的な実施例について説明したが、本考案は上記の実施例に限定されるもので はなく、本考案の要旨を変更しない範囲で適宜変更可能である
【符号の説明】
【００４４】
１：ポケット付きパンツ
２：ウエストゴムバンド
３：パンツ本体
４：ポケット
５：ポケット入口
【図１】
0003215192.tif 000005
【図２】
0003215192.tif 000006
【図３】
0003215192.tif 000007
【図４】
0003215192.tif 000008
【図５】
0003215192.tif 000009
【図６】
0003215192.tif 000010